(57)【特許請求の範囲】
【請求項１】
レンズ体を保持可能なレンズ保持部材と、前記レンズ保持部材を前記レンズ体の光軸方向へ移動自在に支持する支持部材と、前記レンズ保持部材に設けられたコイルと、前記コイルに離間して対向する磁石と、が設けられたレンズ駆動装置において、
前記レンズ保持部材の、光軸を挟んで対向する２つの外面の一方が第１コイル配置面で、他方が第２コイル配置面とされ、前記第１コイル配置面に第１支持突部が、前記第２コイル配置面に第２支持突部がそれぞれ形成されて、前記第１支持突部の周囲に導線が巻かれて第１コイルが装着され、前記第２支持突部の周囲に導線が巻かれて第２コイルが装着されており、
前記第１コイルが、巻き始端および巻き終端を有し、前記第２コイルが、巻き始端および巻き終端を有し、前記第１コイルの巻き終端と前記第２コイルの巻き始端との間に中継部が位置して、前記第１コイルと前記第２コイル、および前記中継部が、連続する導線で形成され、第１コイルと前記第２コイルとが直列に接続され、
前記中継部が、前記レンズ保持部材において前記第１コイル配置面と前記第２コイル配置面との間に位置する中継側面に沿うように延在し、前記中継側面に、前記中継部が掛る案内掛止部が設けられて、前記導線が前記中継部を経て前記第２支持突部に当たる位置が前記第２コイルの巻き始端となっており、
前記レンズ保持部材は、前記光軸に沿う方向において、前記第２支持突部を基準として前記第２コイルの巻き始端が位置する方向が第１の方向で、前記第１の方向と逆向きが第２の方向であり、
前記案内掛止部は、前記第２コイルの巻き始端よりも第２の方向に位置し、前記第２コイル配置面には、前記中継部から前記第２コイルへと延びる前記導線を通す案内凹部が、前記第２コイルの巻き始端まで延びており、前記案内凹部は前記第２コイル配置面から窪んで形成されていることを特徴とするレンズ駆動装置。
【請求項２】
前記中継側面に、前記導線が内部を通る溝部が形成され、前記溝部の内壁の少なくとも一部に前記案内掛止部が設けられている請求項１記載のレンズ駆動装置。
【請求項３】
前記案内凹部は、前記第２コイル配置面と前記中継側面との境界角部から前記第２コイルの巻き始端まで延びている請求項１または２記載のレンズ駆動装置。
【請求項４】
前記レンズ保持部材に、前記導線が巻かれる巻き突部が設けられており、前記第１コイル配置面には、前記巻き突部から延びる前記導線を、前記第１支持突部に当たる前記第１コイルの巻き始端まで導く他の案内凹部が形成されている請求項１ないし３のいずれかに記載のレンズ駆動装置。
【請求項５】
前記案内掛止部は、前記第１コイルの巻き終端よりも第２の方向に位置している請求項１ないし４のいずれかに記載のレンズ駆動装置。
【請求項６】
前記第１コイル配置面と前記中継側面との境界角部に、前記第１コイルの巻き終端から延びる前記導線を第１の方向側から支持する掛止突部が形成されている請求項５記載のレンズ駆動装置。
【請求項７】
前記第１コイルと前記第２コイルの巻き方向が同じである請求項１ないし６のいずれかに記載のレンズ駆動装置。
【発明の詳細な説明】
【技術分野】
【０００１】
本発明は、レンズ保持部材に設けられたコイルと、コイルに対向する磁石とで、レンズ保持部材をレンズ体の光軸方向へ移動させるレンズ駆動装置に関する。
【背景技術】
【０００２】
特許文献１に、フォーカシングアクチュエータに関する発明が記載されている。
このアクチュエータは、レンズ保持筒の筒体の外面に、レンズの光軸方向に延びる突条のスライド部が形成されている。固定フレームの内面には、光軸方向に延びる凹状のスライド部が形成されており、突条のスライド部が凹状のスライド部内を移動することで、固定フレームに対してレンズ保持筒が光軸方向へ移動自在に支持されている。【０００３】
前記レンズ保持筒の筒体の外面では、前記スライド部が形成されていない部分に、一対のコイルが、互いに対向する位置に固定されている。固定フレームには、個々のコイルに対向する磁石が固定されている。【０００４】
コイルに通電すると、コイルに流れる電流と磁石の磁界とによる電磁力で、レンズ保持筒がレンズの光軸方向へ駆動される。
【先行技術文献】
【特許文献】
【０００５】
【特許文献１】実用新案登録第３１２０５９９号公報
【発明の概要】
【発明が解決しようとする課題】
【０００６】
特許文献１に記載されたアクチュエータでは、前記固定フレームが収納される保護キャップの外面に導接端子が設けられ、この導接端子からコイルに通電される、と説明されている。【０００７】
しかし、一対のコイルは通常直列に接続されることが必要であるが、特許文献１には、コイルどうしがどのようにして接続されるかが記載されていない。従来例として、レンズ保持筒を移動自在に保持する板ばねを介して一対のコイルを接続しているものがあるが、この構造では、それぞれのコイルを構成する導線を板ばねに半田付けする工程が必要になり、生産性が悪く、製造コストも高くなる。【０００８】
本発明は、上記従来の課題を解決するものであり、レンズ保持部材にコイルを効率よく装着することができるレンズ駆動装置を提供することを目的としている。
【課題を解決するための手段】
【０００９】
本発明は、レンズ体を保持可能なレンズ保持部材と、前記レンズ保持部材を前記レンズ体の光軸方向へ移動自在に支持する支持部材と、前記レンズ保持部材に設けられたコイルと、前記コイルに離間して対向する磁石と、が設けられたレンズ駆動装置において、
前記レンズ保持部材の、光軸を挟んで対向する２つの外面の一方が第１コイル配置面で、他方が第２コイル配置面とされ、前記第１コイル配置面に第１支持突部が、前記第２コイル配置面に第２支持突部がそれぞれ形成されて、前記第１支持突部の周囲に導線が巻かれて第１コイルが装着され、前記第２支持突部の周囲に導線が巻かれて第２コイルが装着されており、
前記第１コイルが、巻き始端および巻き終端を有し、前記第２コイルが、巻き始端および巻き終端を有し、前記第１コイルの巻き終端と前記第２コイルの巻き始端との間に中継部が位置して、前記第１コイルと前記第２コイル、および前記中継部が、連続する導線で形成され、第１コイルと前記第２コイルとが直列に接続され、
前記中継部が、前記レンズ保持部材において前記第１コイル配置面と前記第２コイル配置面との間に位置する中継側面に沿うように延在し、前記中継側面に、前記中継部が掛る案内掛止部が設けられて、前記導線が前記中継部を経て前記第２支持突部に当たる位置が前記第２コイルの巻き始端となっており、
前記レンズ保持部材は、前記光軸に沿う方向において、前記第２支持突部を基準として前記第２コイルの巻き始端が位置する方向が第１の方向で、前記第１の方向と逆向きが第２の方向であり、
前記案内掛止部は、前記第２コイルの巻き始端よりも第２の方向に位置し、前記第２コイル配置面には、前記中継部から前記第２コイルへと延びる前記導線を通す案内凹部が、前記第２コイルの巻き始端まで延びており、前記案内凹部は前記第２コイル配置面から窪んで形成されていることを特徴とするものである。
【００１１】
本発明のレンズ駆動装置は、前記中継側面に、前記導線が内部を通る溝部が形成され、前記溝部の内壁の少なくとも一部に前記案内掛止部が設けられていることが好ましい。【００１３】
本発明のレンズ駆動装置は、前記案内凹部が、前記第２コイル配置面と前記中継側面との境界角部から前記第２コイルの巻き始端まで延びていることが好ましい。
【００１５】
本発明のレンズ駆動装置は、前記レンズ保持部材に、前記導線が巻かれる巻き突部が設けられており、前記第１コイル配置面には、前記巻き突部から延びる前記導線を、前記第１支持突部に当たる前記第１コイルの巻き始端まで導く他の案内凹部が形成されているものとして構成できる。
【００１６】
本発明のレンズ駆動装置は、前記案内掛止部は、前記第１コイルの巻き終端よりも第２の方向に位置していることが好ましい。【００１７】
本発明のレンズ駆動装置は、前記第１コイル配置面と前記中継側面との境界角部に、前記第１コイルの巻き終端から延びる前記導線を第１の方向側から支持する掛止突部が形成されていることがさらに好ましい。【００１８】
本発明のレンズ駆動装置は、前記第１コイルと前記第２コイルの巻き方向が同じである場合に、特に有効である。
【発明の効果】
【００１９】
本発明は、レンズ保持部材に装着される第１コイルと第２コイルおよび中継部を同じ導線で連続して形成し、中継部を中継側面に延在させているので、第１コイルと第２コイルを直列に接続させるために、中継のための別部材を設ける必要がなく、さらにこの別部材に導線を半田付けする作業も不要になる。そのため、少ない工程で、第１コイルと第２コイルをレンズ保持部材に装着することができる。【００２０】
また、レンズ保持部材の中継側面に案内掛止部を設け、この案内掛止部を、第２コイルの巻き始端や第１コイルの巻き終端よりも、第２の方向側に位置させることで、第２コイルの巻き始めを常に正確な位置から開始させることができ、また第１コイルの巻き終端の弛みの発生も防止できるようになる。【００２１】
さらに、コイル配置面に第１案内凹部や第２案内凹部を形成しておくと、第１コイルの巻き始端を第１コイル配置面の表面から開始させることができ、第２コイルの巻き始端も第２コイル配置面の表面から開始させることができる。
【図面の簡単な説明】
【００２２】
【図１】本発明の実施の形態のレンズ駆動装置の外観を示す斜視図、
【図２】図１に示すレンズ駆動装置の分解斜視図、
【図３】レンズ駆動装置に設けられたレンズ保持部材と一対のコイルを示す斜視図、
【図４】レンズ保持部材の第１コイル配置面の第１支持突部に、第１コイルを巻き始める工程を示す部分斜視図、
【図５】レンズ保持部材の第１コイル配置面の第１支持突部に、第１コイルを巻き終わった状態を示す部分斜視図、
【図６】導線の中継部の配置を示す、レンズ保持部材の側面図、
【図７】レンズ保持部材の第２コイル配置面の第２支持突部に、第２コイルを巻き始める工程を示す部分斜視図、
【図８】レンズ保持部材の第２コイル配置面の第２支持突部に、第２コイルを巻き始める工程を示す正面、
【図９】レンズ保持部材の第２コイル配置面の第２支持突部に、第２コイルを巻き終わった状態を示す正面図、
【図１０】複数のレンズ駆動装置の配置例を示す平面図、
【発明を実施するための形態】
【００２３】
図１と図２に、本発明の実施の形態のレンズ駆動装置１の全体構造が示されている。
レンズ駆動装置１のレンズ保持部材１０には、１枚のレンズまたは複数枚の組み合わせレンズと、前記レンズを保持したレンズホルダとから成るレンズ体が接着剤やねじ止め等によって装着される。Ｚ１−Ｚ２方向は、上下方向であり、レンズ体の光軸Ｏと平行な方向である。レンズ駆動装置１は、携帯電話などの携帯用電子機器に搭載される。レンズ駆動装置１よりもＺ１側に、撮像素子が配置される。レンズ駆動装置１によって前記レンズ体が光軸方向へ移動させられ、これにより、撮像素子に対する自動焦点合わせが行われる。
【００２４】
図１と図２に示すように、レンズ駆動装置１に、支持基台２とカバー３とが設けられている。支持基台２とカバー３とを組み合わせることにより、内部に収納空間を有するケース（ハウジング）が構成される。支持基台２とカバー３は、共に非磁性材料で形成されている。支持基台２は合成樹脂材料で形成され、カバー３は非磁性のステンレス鋼板や合成樹脂材料で形成される。支持基台２に光透過穴２ｂが開口しており、カバー３の天井部３ａにも光透過穴３ｂが開口している。
【００２５】
支持基台２のＸ１側の側部上面に第１磁石Ｍ１が固定され、支持基台２のＸ２側の側部上面に第２磁石Ｍ２が固定されている。第１磁石Ｍ１と第２磁石Ｍ２の上に、上部板ばね６および上部枠体４が固定されている。上部枠体４は合成樹脂材料で形成されている。支持基台２の上に磁石Ｍ１，Ｍ２が固定され、磁石Ｍ１，Ｍ２の上に上部板ばね６を介して上部枠体４が固定されることで、支持基台２と上部枠体４との間に上下方向（Ｚ１−Ｚ２方向）の空間が形成され、この空間内にレンズ保持部材１０が配置される。
【００２６】
ただし、上部枠体４の４つの角部に、下向きの脚部が一体に形成され、それぞれの脚部の下端が、支持基台２の上に固定されている構造であってもよい。支持基台２と上部枠体４とで磁石Ｍ１，Ｍ２を固定する固定部が構成されている。なお、磁石Ｍ１，Ｍ２は、カバー３の内面に固定されていてもよく、この場合には、カバー３も固定部を構成する。磁石Ｍ１，Ｍ２は接着剤によって固定部に固定される。
【００２７】
図２に示すように、支持基台２の４箇所の角部の上に、ばね固定部２ａが形成されている。支持基台２の上には、互いに分離された一対の下部板ばね５が取り付けられている。それぞれの下部板ばね５は、固定側支持部５ａと、その内側の可動側支持部５ｂ、および固定側支持部５ａと可動側支持部５ｂとを繋ぐ弾性腕部５ｃとが、板ばね金属材料で一体に形成されている。それぞれの下部板ばね５の固定側支持部５ａは、支持基台２のばね固定部２ａに、かしめ構造や接着構造により固定されている。可動側支持部５ｂは、レンズ保持部材１０の下面１０ａに、かしめ構造や接着構造により固定されている。
【００２８】
図２に示すように、レンズ保持部材１０と上部枠体４との間に、上部板ばね６が設けられている。上部板ばね６は、４箇所の固定側支持部６ａと、その内側の可動側支持部６ｂ、および固定側支持部６ａと可動側支持部６ｂとを繋ぐ弾性腕部６ｃとが、板ばね金属材料で一体に形成されている。上部板ばね６の固定側支持部６ａが、上部枠体４の４箇所の角部の下面に、かしめ構造や接着構造により固定されている。可動側支持部６ｂは、レンズ保持部材１０の上面に形成されたばね固定部１０ｂに、かしめ構造や接着構造により固定されている。なお、上部板ばね６の固定側支持部６ａは、磁石Ｍ１，Ｍ２がカバー３の内面に接着固定される場合には、上部枠体４と磁石Ｍ１，Ｍ２とによって挟持されていてもよい。
【００２９】
下部板ばね５と上部板ばね６とで弾性を有する支持部材が構成されており、支持部材の前記弾性腕部５ｃと弾性腕部６ｃの弾性変形により、支持基台２と上部枠体４との間で、レンズ保持部材１０が光軸方向であるＺ１−Ｚ２方向へ移動自在に支持される。
【００３０】
図３にレンズ保持部材１０が拡大されて示されている。
レンズ保持部材１０は合成樹脂材料で形成されている。レンズ保持部材１０の中心に保持穴１１がＺ１−Ｚ２方向に貫通して形成されている。図示省略されているが、保持穴１１の内壁に雌ねじ溝が形成されており、レンズ体を構成するレンズホルダの外周に雄ねじ部が形成され、レンズを保持したレンズホルダが保持穴１１の内部に螺着される。保持穴１１の中心線は、レンズの光軸Ｏに一致している。保持穴１１は、支持基台２の光透過穴２ｂと、カバー３の光透過穴３ｂの双方に対向している。なお、レンズ保持部材１０の外形形状は、概略矩形状に形成されている。
【００３１】
図３と図４に示すように、レンズ保持部材１０のＸ１方向に向く外面が第１コイル配置面１２である。第１コイル配置面１２は、光軸Ｏと平行でＹ−Ｚ平面と平行な平面である。第１コイル配置面１２から外方（Ｘ１方向）へ第１支持突部１３ａ，１３ｂ，１３ｃが一体に突出している。第１支持突部１３ａはＹ１−Ｙ２方向の中間に位置し、第１支持突部１３ｂはＹ２側に位置し、第１支持突部１３ｃはＹ１側に位置している。
【００３２】
図７と図８に示すように、レンズ保持部材１０のＸ２方向に向く外面が第２コイル配置面１４である。第２コイル配置面１４は、光軸Ｏと平行でＹ−Ｚ平面と平行な平面である。第２コイル配置面１４から外方（Ｘ２方向）へ第２支持突部１５ａ，１５ｂ，１５ｃが一体に突出している。第２支持突部１５ａはＹ１−Ｙ２方向の中間に位置し、第２支持突部１５ｂはＹ２側に位置し、第２支持突部１５ｃはＹ１側に位置している。なお、第１支持突部１３ａ，１３ｂ，１３ｃと第２支持突部１５ａ，１５ｂ，１５ｃとは、光軸方向（Ｚ方向）において、同じ位置に設けられている。
【００３３】
第１コイル配置面１２と第２コイル配置面１４は、光軸Ｏを挟んで１８０度の角度配置で対向しており、両コイル配置面１２，１４は互いに平行である。
【００３４】
図３に示すように、第１コイル配置面１２と第２コイル配置面１４との間に位置するレンズ保持部材１０の外周には、Ｙ２方向に向く中継側面１７が設けられている。
【００３５】
図４に示すように、レンズ保持部材１０の下面１０ａには、前記第１支持突部１３ｂの下方において、Ｚ１方向に突出する第１巻き突部１６が一体に形成されている。図７に示すように、前記下面１０ａでは、前記第２支持突部１５ｃの下方において、Ｚ１方向に突出する第２巻き突部１８が一体に形成されている。
【００３６】
図４に示すように、第１コイル配置面１２には、下面１０ａに開放されて上方（Ｚ２方向）に延びる第１案内凹部２１が形成されている。第１案内凹部２１は、第１巻き突部１６のＹ２側の側部から第１支持突部１３ｂのＹ２側の側部まで連続している。なお、第１コイル配置面１２から窪んで形成された第１案内凹部２１の深さは、被覆導線３０の太さ（直径）と同等である。
【００３７】
図４と図５に示すように、第１コイル配置面１２と中継側面１７との境界角部、すなわち第１コイル配置面１２のＹ２側の端部に、掛止凹部２２が形成されており、掛止凹部２２のＺ１側の端部に、掛止突部２３が形成されている。掛止突部２３は、レンズ保持部材１０の側方（外方）へ突出して形成されている。
【００３８】
図７と図８に示すように、中継側面１７と第２コイル配置面１４との境界角部に、第２案内凹部２４が形成されている。第２案内凹部２４は、第２コイル配置面１４のＹ２側の端部から、Ｙ２側に位置している第２支持突部１５ｂのＺ１側の下面の位置まで連続して形成されている。なお、第２コイル配置面１４から窪んで形成された第２案内凹部２４の深さは、被覆導線３０の太さ（直径）と同等である。
【００３９】
図５と図６および図７に示すように、レンズ保持部材１０のＹ２方向に向く中継側面１７に溝部２５が形成されている。溝部２５は、中継側面１７においてＸ１−Ｘ２方向に連続して形成されている。図５に示すように、溝部２５の底面では、Ｘ１側の端部が、第１コイル配置面１２に向かって湾曲する湾曲面２５ａとなっている。図７に示すように、溝部２５の底面では、Ｘ２側の端部が、第２コイル配置面１４に向かって湾曲する湾曲面２５ｂとなっている。
【００４０】
図５と図６および図７に示すように、溝部２５のＺ１側の内壁面２６の中央部が案内掛止部２６ａとなっている。図６では、案内掛止部２６ａのＸ１−Ｘ２の長さ寸法がＬで示されている。内壁面２６には、案内掛止部２６ａよりもＸ１側で、Ｚ１方向に向けて徐々に下がる傾斜面２６ｂ，２６ｃが形成されている。内壁面２６には、案内掛止部２６ａよりもＸ２側で、Ｚ１方向に向けて徐々に下がる傾斜面２６ｄ，２６ｅが形成されている。
【００４１】
図２と図３に示すように、レンズ保持部材１０の第１コイル配置面１２に第１コイルＣ１が装着され、第２コイル配置面１４に第２コイルＣ２が装着されている。第１コイルＣ１と第２コイルＣ２は、単一で連続する被覆導線３０で多重巻きに成形されている。第１コイルＣ１と第２コイルＣ２との間は、前記被覆導線３０による中継部Ｒである。第１コイルＣ１と第２コイルＣ２は、中継部Ｒによって直列に接続されている。図６に示すように、中継部Ｒは、レンズ保持部材１０の中継側面１７に沿うようにＸ１−Ｘ２方向に延在して設けられている。
【００４２】
以下、被覆導線３０で第１コイルＣ１と中継部Ｒと第２コイルＣ２とを形成する工程を説明する。
【００４３】
レンズ保持部材１０の光軸Ｏに沿う方向での向きは、第１支持突部１３ａ，１３ｂ，１３ｃと第２支持突部１５ａ，１５ｂ，１５ｃの光軸方向における中心位置を基準として、第１コイルＣ１の巻き終端Ｃ１ｂと第２コイルＣ２の巻き始端Ｃ２ａに向かう方向であるＺ１方向が第１の方向で、これと逆のＺ２方向が第２の方向である。
【００４４】
図４に示すように、レンズ保持部材１０の下面１０ａに設けられた第１巻き突部１６に被覆導線３０が巻かれて、巻き端部３１が形成される。巻き端部３１から延びた被覆導線３０の引出し部３２は、第１コイル配置面１２に形成された第１案内凹部２１の内部を通るようにして第２の方向（Ｚ２方向）へ延ばされ、Ｙ２側に位置する第１支持突部１３ｂのＹ２方向とＺ２方向の角部１３ｄに掛けられる。被覆導線３０が角部１３ｄに掛けられる部分が第１コイルＣ１の巻き始端Ｃ１ａである。
【００４５】
レンズ保持部材１０の下面１０ａに位置する巻き端部３１から延びる被覆導線３０の引出し部３２が、第１コイル配置面１２から窪んだ第１案内凹部２１の内部を通って巻き始端Ｃ１ａに至るため、巻き始端Ｃ１ａでは、被覆導線３０を第１コイル配置面１２に密着させることができる。被覆導線３０は、巻き始端Ｃ１ａを起点として、第１支持突部１３ｂ，１３ａ，１３ｃの外周を通って時計方向に巻かれ、第１周回部３３を形成する。巻き始端Ｃ１ａが第１コイル配置面１２に密着しているため、被覆導線３０を第１コイル配置面１２に密着させたまま第１周回部３３を形成することができる。
【００４６】
第１周回部３３の巻き付けが完了したら、第１周回部３３の被覆導線３０とＸ１方向に隣接するように、第１支持突部１３ｂ，１３ａ，１３ｃの外周に被覆導線３０を巻いて、第２周回部、第３周回部、・・・を順に形成していく。周回部が第１支持突部１３ｂ，１３ａ，１３ｃのＸ１側の先部に至ったら、次は、既に巻かれた周回部の上に被覆導線３０が重なるようにして、Ｘ２方向へ向けてさらに巻いていく。これを複数回繰り返すことで、図５に示すように、第１支持突部１３ｂ，１３ａ，１３ｃの外周に多重巻き構造の第１コイルＣ１が形成される。図５に示すように、被覆導線３０が最外周を周回して第１コイル配置面１２に密着するに至ったときに、第１コイルＣ１の巻き終端Ｃ１ｂとなる。
【００４７】
図５と図６に示すように、第１コイルＣ１の巻き終端Ｃ１ｂから、第２コイルＣ２の巻き始端Ｃ２ａまでの被覆導線３０が、第１コイルＣ１と第２コイルＣ２とを直列に接続する中継部Ｒである。したがって、中継部Ｒは、第１コイルＣ１の巻き終端Ｃ１ｂと第２コイルＣ２の巻き始端Ｃ２ａとの間に位置するものとなる。
【００４８】
図５に示すように、中継部Ｒの始端Ｒ１を形成する被覆導線３０の掛り部３４は、掛止凹部２２を通過し、掛止凹部２２の下部に一体に形成された掛止突部２３の上側（Ｚ２側）に掛止される。すなわち、掛止突部２３は、掛り部３４を第１の方向（Ｚ１方向）側から支持している。掛り部３４は掛止凹部２２を通過することで、掛止突部２３の上に確実に掛けられるようになる。
【００４９】
レンズ保持部材１０から突出する掛止突部２３の上に被覆導線３０の掛り部３４が掛けられることで、第１コイルＣ１の第１の方向（Ｚ１方向）の下面に位置する巻き終端Ｃ１ｂから引き出される被覆導線３０が、レンズ保持部材１０からＺ１方向へはみ出すのを規制することができ、被覆導線３０が下部板ばね５に触れるのを防止して、下部板ばね５の弾性支持機能に支障を来すのを防止できるようなる。
【００５０】
図５に示すように、掛り部３４から中継側面１７に向けて延びる被覆導線３０の第１角通過部３５は、中継側面１７に形成された湾曲面２５ａに当たって溝部２５に入る。第１角通過部３５が湾曲面２５ａに当たるため、被覆導線３０の張力が大きくても、第１角通過部３５の部分での断線を防止できるようになる。
【００５１】
図６に示すように、掛止突部２３に掛けられた掛り部３４から延びる被覆導線３０で構成される中継部Ｒは、中継側面１７に形成された溝部２５の内部を通る。中継部Ｒを形成する被覆導線３０は、溝部２５の内壁面２６の傾斜面２６ｃ，２６ｂを通過して案内掛止部２６ａに掛けられる。案内掛止部２６ａは、Ｘ１−Ｘ２方向に向けて所定の長さＬで平面的に延びているため、案内掛止部２６ａのＺ２側（第２の方向側）を向く面で、被覆導線３０が安定して保持される。
【００５２】
図５に示すように、案内掛止部２６ａは、第１コイルＣ１の巻き終端Ｃ１ｂよりも、第２の方向（Ｚ２方向）側に位置しているため、巻き終端Ｃ１ｂで被覆導線３０を第１コイルＣ１に密着し続けるようにしっかりと巻くことができ、巻き終端Ｃ１ｂで弛みが生じるのを防止できる。
【００５３】
図６と図７に示すように、案内掛止部２６ａから出た被覆導線３０の第２角通過部３６は、溝部２５の底面の湾曲面２５ｂに当たってから、中継側面１７と第２コイル配置面１４との境界角部を通過する。被覆導線３０が、湾曲面２５ｂに当たるため、被覆導線３０の張力が大きくても境界角部で断線が生じる危険性が低くなる。第２角通過部３６となる被覆導線３０は、内壁面２６の傾斜面２６ｄ，２６ｅを通過して、Ｘ２方向に向く第２コイル配置面１４に至る。
【００５４】
図７と図８に示すように、中継側面１７と第２コイル配置面１４との境界角部で、第２コイル配置面１４のＹ２側の始端に第２案内凹部２４が形成されている。そのため、被覆導線３０の第２角通過部３６は、第２案内凹部２４の内部を通って、第２支持突部１５ｂのＹ２側とＺ１側に向く角部１５ｄに当接する。被覆導線３０が前記角部１５ｄに当たる部分が、第２コイルＣ２の巻き始端Ｃ２ａである。またこの巻き始端Ｃ２ａは中継部Ｒの終端でもある。
【００５５】
中継側面１７に形成された案内掛止部２６ａは、前記角部１５ｄおよび巻き始端Ｃ２ａよりも、第２の方向（Ｚ２方向）側に位置しているため、巻き始端Ｃ２ａで、被覆導線３０を角部１５ｄに確実に密着させることができる。また、角部１５ｄに至る被覆導線３０が、第２コイル配置面１４から窪んだ第２案内凹部２４を通るため、巻き始端Ｃ２ａで、被覆導線３０を第２コイル配置面１４に密着させることができる。
【００５６】
図８に示すように、第２コイル配置面１４では、巻き始端Ｃ２ａを起点として、被覆導線３０が、第２支持突部１５ｂ，１５ａ，１５ｃの下面を通り、時計方向へ巻かれて第１周回部３９が形成される。巻き始端Ｃ２ａで、被覆導線３０が、第２支持突部１５ｂの角部１５ｄと第２コイル配置面１４に密着しているため、第１周回部３９で、被覆導線３０を第２コイル配置面１４に密着させて巻くことができる。
【００５７】
第２コイルＣ２の多重巻き構造の巻き工程は、第１コイルＣ１と同様である。図９に示すように、多重巻き構造の第２コイルＣ２が巻かれた後に、巻き終端Ｃ２ｂから延びる被覆導線３０の終端延長部３７が、レンズ保持部材１０の下面１０ａに設けられた第２巻き突部１８に巻かれて、巻き端部３８が形成される。
【００５８】
実施の形態では、連続する単一の被覆導線３０で、第１コイルＣ１と中継部Ｒと第２コイルＣ２を連続して形成することができるため、第１コイルと第２コイルを中継する別の導体を設けることが不要であり、また被覆導線と中継用の導体との半田付け作業も不要である。
【００５９】
中継部Ｒを構成する被覆導線３０は、中継側面１７の溝部２５の内部に収められているため、中継部Ｒがレンズ保持部材１０の中継側面１７から外側へ露出することがなく、組立作業中などに被覆導線３０が損傷を受けにくい。
【００６０】
レンズ保持部材１０の外側から見たときに、第１コイルＣ１と第２コイルＣ２が、共に時計方向に巻かれているため、自動線巻き装置を使用して、レンズ保持部材１０の姿勢を上下に入れ代えることなく、第１コイルＣ１と第２コイルＣ２を、同じ時計方向の巻き工程で形成することができる。
【００６１】
第１コイルＣ１と第２コイルＣ２とが、共に時計方向巻きで巻かれる結果、第１コイルＣ１の巻き終端Ｃ１ｂと第２コイルＣ２の巻き始端Ｃ２ａが、第１支持突部１３ａ，１３ｂ，１３ｃと第２支持突部１５ａ，１５ｂ，１５ｃの光軸方向における中央部を基準として同じ第１の方向（Ｚ１方向）側に位置することになる。
【００６２】
そこで、案内掛止部２６ａを、第１コイルＣ１の巻き終端Ｃ１ｂよりも第２の方向（Ｚ２方向）側に配置することで、第１コイルＣ１を弛みなく巻くことができる。同様に、案内掛止部２６ａを、第２コイルＣ２の巻き始端Ｃ２ａよりも第２の方向（Ｚ２方向）側に配置することで、第２コイルＣ２を巻くときに、被覆導線３０を第２支持突部１５ａ，１５ｂ，１５ｃの周囲に密着させて巻くことができる。
【００６３】
また、第１コイル配置面１２に第１案内凹部２１が形成され、第２コイル配置面１４に第２案内凹部２４が形成されているため、第１コイルＣ１の第１周回部３３を第１コイル配置面１２に密着させることができ、第２コイルＣ２の第１周回部３９を第２コイル配置面１４に密着させることができる。
【００６４】
図２に示すように、第１コイルＣ１と第２コイルＣ２が装着されたレンズ保持部材１０は、下部板ばね５と上部板ばね６とで上下から支持される。このとき、図４に示す第１巻き突部１６に巻かれた被覆導線３０の巻き端部３１が、２つに分割されている下部板ばね５の一方に半田付けされ、図９に示す第２巻き突部１８に巻かれた被覆導線３０の巻き端部３８が、他方の下部板ばね５に半田付けされる。したがって、巻き端部３１および巻き端部３８において、被覆導線３０の表面に施されている絶縁性の被覆は剥がされている。
【００６５】
図２に示すように、支持基台２には複数の接地用端子部８と図示しない一対の給電用端子部が埋設されており、それぞれの給電用端子部が、下部板ばね５に個別に導通している。給電用端子部と下部板ばね５を介して、第１コイルＣ１と第２コイルＣ２に通電することができる。なお、図１に示すように、接地用端子部８にカバー３が溶接等によって固定されている。
【００６６】
図６に示すように、レンズ駆動装置１では、第１コイルＣ１に第１磁石Ｍ１が離間して対向し、第２コイルＣ２に第２磁石Ｍ２が離間して対向する。
第１磁石Ｍ１と第２磁石Ｍ２は、コイルとの対向面においてＺ１側とＺ２側で磁極が相違している。そして、第１磁石Ｍ１と第２磁石Ｍ２とでは、コイル対向面においてＺ１側が同じ磁極（例えばＮ極）に着磁され、Ｚ２側が同じ磁極（例えばＳ極）に着磁されている。
【００６７】
前述のように、第１コイルＣ１と第２コイルＣ２は、レンズ保持部材１０の外側から見たときに共に時計方向に巻かれている。そのため、第１コイルＣ１と第２コイルＣ２に与える駆動電流と、磁石Ｍ１，Ｍ２の磁力とで、Ｘ１側とＸ２側でレンズ保持部材１０にＺ１方向とＺ２方向において、同じ向きの駆動力を発生させることができる。レンズ駆動装置１では、レンズ保持部材１０をＺ１−Ｚ２方向へ動作させることで、Ｚ１側に位置する撮像素子に与えられる光学像を合焦させることができる。
【００６８】
図６に示すように、第１磁石Ｍ１と第２磁石Ｍ２とで、コイル対向面においてＺ１側が同じ磁極（例えばＮ極）に着磁され、Ｚ２側が同じ磁極（例えばＳ極）に着磁されている。そのため、対向する磁石Ｍ１，Ｍ２どうしで、Ｚ１側とＺ２側で磁力が反発することになり、第１磁石Ｍ１で形成される磁束経路Ｆ１と第２磁石Ｍ２で形成される磁束経路Ｆ２を独立させやすくなる。また、第１磁石Ｍ１と第２磁石Ｍ２との間での磁束の吸引による、磁石どうしの干渉を低減できるようになる。
【００６９】
実施の形態のレンズ駆動装置１では、コイルＣ１、Ｃ２と、磁石Ｍ１，Ｍ２がＸ１−Ｘ２方向に対向しているため、図１０に示すように、複数のレンズ駆動装置１を並べて同じ基板に実装して使用することに適している。
【００７０】
複数のレンズ駆動装置１において、磁石Ｍ１，Ｍ２をＸ方向に対向させることで、Ｙ方向に並んでいる隣りのレンズ駆動装置１に磁石Ｍ１，Ｍ２の磁力の影響が及ぶのを防止できる。
【００７１】
また、図１０に示すように、被覆導線３０の中継部Ｒを、隣りのレンズ駆動装置１から離れる側に配置することで、中継部Ｒを構成する被覆導線３０が隣りのレンズ駆動装置１の磁石Ｍ１，Ｍ２からの影響を受けることを避けることができる。
【００７２】
また、実施の形態のレンズ駆動装置１の隣に、レンズ保持部材を光軸方向と交差する方向へ駆動可能な振れ補正機能を備えた別のレンズ駆動装置がＹ方向に並んで設けられていてもよい。この場合においても、レンズ駆動装置１の被覆導線３０からなる中継部Ｒは、隣の振れ補正機能付きのレンズ駆動装置から離れた側に配置することが好ましい。このように配置することで、中継部Ｒを構成する被覆導線３０が、隣に位置する別のレンズ駆動装置に設けられた磁石などからの影響を受けにくいものとすることができる。
【００７３】
なお、前述した本発明の実施の形態においては、中継部Ｒが接して掛け止めされる案内掛止部２６ａを、長さ寸法Ｌを有してＸ１−Ｘ２方向に長く延在するものとしたが、本発明はこれに限定されない。
【００７４】
例えば、中継部Ｒと点接触するような円柱状の突起が、中継側面１７から外側（Ｙ２方向）に突出して形成され、この突起を案内掛止部としてもよい。この場合において、突起の数は、中継側面１７のＸ１−Ｘ２方向における中央部に一つとしてもよいが、第１コイル配置面１２寄り（Ｘ１側）に位置する突起と第２コイル配置面１４寄り（Ｘ２側）に位置する突起とを含む複数とするのが好ましい。このように、案内掛止部２６ａを中継側面１７に突出させた突起によって構成する場合には、中継側面１７に溝部２５を形成しなくてもよい。
【００７５】
また、前述した本発明の実施の形態においては、案内掛止部２６ａを光軸方向（Ｚ１−Ｚ２方向）と直交する平面で構成されるものとしたが、本発明はこれに限られず、Ｘ−Ｙ平面に対して傾斜する面で構成されていてもよい。
【００７６】
さらに、溝部２５の内壁面２６を光軸方向に上下するような波状の曲面で形成し、この曲面の一部（山部）を、中継部Ｒが接して掛る案内掛止部としてもよい。
【００７７】
また、前述した本発明の実施の形態では、第１コイルＣ１と第２コイルＣ２とが、いずれも被覆導線３０を時計方向巻きで巻いたものとしたが、第１コイルＣ１と第２コイルＣ２とを、共に反時計方向巻きで被覆導線３０が巻かれたものとしてもよい。なお、この場合には、第１支持突部１３ａ，１３ｂ，１３ｃと第２支持突部１５ａ，１５ｂ，１５ｃの光軸方向における中央部を基準として、Ｚ２方向が第１の方向で、これとは逆のＺ１方向が第２の方向となる。
【符号の説明】
【００７８】
Ｃ１  第１コイル
Ｃ１ａ  巻き始端
Ｃ１ｂ  巻き終端
Ｃ２  第２コイル
Ｃ２ａ  巻き始端
Ｃ２ｂ  巻き終端
Ｍ１  第１磁石
Ｍ２  第２磁石
Ｏ  光軸
Ｒ  中継部
１  レンズ駆動装置
２  支持基台
３  カバー
４  上部枠体
５  下部板ばね（支持部材）
６  上部板ばね（支持部材）
１０  レンズ保持部材
１２  第１コイル配置面
１３ａ，１３ｂ，１３ｃ  第１支持突部
１４  第２コイル配置面
１５ａ，１５ｂ，１５ｃ  第２支持突部
１６  第１巻き突部（巻き突部）
１７  中継側面
１８  第２巻き突部
２１  第１案内凹部
２２  掛止凹部
２３  掛止突部
２４  第２案内凹部
２５  溝部
２６ａ  案内掛止部
３０  被覆導線
【図１】
0006714961.tif 000002
【図２】
0006714961.tif 000003
【図３】
0006714961.tif 000004
【図４】
0006714961.tif 000005
【図５】
0006714961.tif 000006
【図６】
0006714961.tif 000007
【図７】
0006714961.tif 000008
【図８】
0006714961.tif 000009
【図９】
0006714961.tif 000010
【図１０】
0006714961.tif 000011